(57)【特許請求の範囲】
【請求項１】
映像信号を画像として画面に表示する映像表示手段と、
入力される映像信号を上記映像表示手段に画像として表示するための処理を行なう映像信号処理手段と、
この映像信号処理手段で処理される映像信号の波形特性を周期的に制御する映像特性制御手段とを備え、
映像特性制御手段は、水平同期信号および垂直同期信号に基づく所定の周期信号により、インダクタンスを変化させて、映像信号の周波数特性を制御する可変インダクタを備えたことを特徴とする画像表示装置。
【請求項２】
映像信号を画像として画面に表示する映像表示手段と、
入力される映像信号を上記映像表示手段に画像として表示するための処理を行なう映像信号処理手段と、
この映像信号処理手段で処理される映像信号の波形特性を周期的に制御する映像特性制御手段とを備え、
映像特性制御手段は、映像信号処理手段に入力された映像信号の振幅を水平ラインごとに周期的に制御し、
映像信号処理手段は、上記映像特性制御手段で制御された映像信号を所定の比率で増幅することを特徴とする画像表示装置。
【請求項３】
映像特性制御手段は、
映像信号処理手段に入力される映像信号を水平同期信号にもとづいて、周期的に水平ラインごとに第１の比率で増幅する第１の信号増幅手段と、
映像信号処理手段に入力される映像信号を、水平同期信号にもとづいて、上記第１の信号増幅手段とは異なる周期で、水平ラインごとに上記第１の比率より小さい第２の比率で増幅する第２の信号増幅手段とを備えたことを特徴とする請求項２記載の画像表示装置。
【請求項４】
映像特性制御装置は、
垂直同期信号にもとづいて、垂直フレームごとに、各垂直フレームで対応する位置にある水平ラインの映像信号の波形特性が異なるように、第１の信号増幅器と第２の信号増幅器による映像信号に対して行なわれる増幅の周期を垂直フレームごとに変化させることを特徴とする請求項３記載の画像表示装置。
【請求項５】
映像信号特性制御手段は、
映像信号の位相を遅延させる遅延手段と、
第２の信号増幅手段に設けられ、上記遅延手段から出力される映像信号の周波数特性を補償する周波数特性補償手段とを備えたことを特徴とする請求項３または４記載の画像表示装置。
【請求項６】
第１、第２の信号増幅手段のいずれか一方を動作させ、映像信号の増幅を行なうことを特徴とする請求項４記載の画像表示装置。
【請求項７】
入力される映像信号の解像度に応じて、第１、第２の信号増幅手段のいずれか一方を動作させることを特徴とする請求項６記載の画像表示装置。
【発明の詳細な説明】
【０００１】
【発明の属する技術分野】
この発明は、映像信号の諸特性を周期的に可変可能とし、不要輻射を低減、モアレを軽減、さらに視認性を向上さることのできる画像表示装置に関する。
【０００２】
【従来の技術】
図６は従来の画像表示装置を示したもので、（ａ）は従来の画像表示装置の回路図、（ｂ），（ｃ）は映像波形（カソード波形）、（ｄ）は（ｃ）の映像波形を画面表示したものである。
図において、１は映像信号の入力端子、８は映像信号を増幅するための増幅器、６は増幅器８の入力側と出力側を結ぶように接続された抵抗、７は増幅器８の入力側に接続された抵抗７である。この抵抗６、７により増幅器８の増幅率を決めている。４はコンデンサ、５は抵抗であって、増幅器８の入力側に抵抗７と並列に接続された周波数補償用のネットワークである。１４は入力された映像信号が画像として表示される陰極線管、１５は陰極線管１４内部のカソード容量である。また、１３は陰極線管１４のカソード（図示せず）と直列に接続されている抵抗Ｚである。
【０００３】
次に、動作について説明する。
入力端子１より入力された映像信号は、抵抗６，７で決まる増幅率によって増幅器８により電圧増幅される。増幅器８の周波数補償はコンデンサ４と抵抗５により行なわれる。また、増幅器８の周波数補償はコンデンサ４と抵抗５によって行なわれている。増幅器８により増幅された映像信号は、インピーダンスＺの抵抗８を介して、陰極線管１４に入力される。陰極線管１４には高電圧発生回路（図示せず）が接続されており、この高電圧発生回路から陰極線管１４に高電圧を供給することにより、陰極線管１４の電子銃のカソードがドライブされ、入力された映像信号に基づいた画像が表示される。
【０００４】
ところで、画像表示装置から漏れる電磁波ノイズなどの不要輻射ノイズレベルを電気的に軽減するには［図６（ｅ）に示した点線から実線の状態］、抵抗１３のインピーダンスＺを大きくし、陰極線管１４にかかるカソード電圧の周波数特性を低く抑えると良い。（なお、上記の不要輻射ノイズレベルについては所定の範囲内の数値となるように規格が設けられており、画像表示装置はこれらの規格を満たすものであって安全上の問題はない。）
このときのカソード電圧は図６（ｂ）と図６（ｃ）を比べると分かるように、映像信号のピークが下がり、さらに信号の裾野が広がる。画面上では、周波数特性が悪くなるため鮮鋭度の劣化を招くことになる。
具体的には、図６（ｄ）に示されているように、白い映像の中に黒い映像が表示されている画面の場合、黒い映像のエッジが灰色っぽくなる（映像のエッジが薄明るくなる）。
つまり、不要輻射ノイズレベルを抑えるために抵抗１３のインピーダンスＺを大きくすると、映像信号の周波数特性が悪くなり、鮮鋭度の劣化が生じるので映像のエッジが薄明るくなってしまう。
【０００５】
この発明は上記のような問題点を解消するためになされたものであって、水平ライン、垂直フレームごとに映像信号の特性を制御し（たとえば、電圧変調をかけ）、映像信号の周波数特性、振幅・位相特性を変えることにより、鮮鋭度の劣化を招くことなく、不要輻射ノイズレベルの低減を図ることのできる画像表示装置を得ることを目的とする。
また、モアレなどの軽減を行なうことにより視認性の向上を図ることを目的とする。
【０００６】
【課題を解決するための手段】
第１の発明に係る画像表示装置は、映像信号を画像として画面に表示する映像表示手段と、入力される映像信号を上記映像表示手段に画像として表示するための処理を行なう映像信号処理手段と、この映像信号処理手段で処理される映像信号の波形特性を周期的に制御する映像特性制御手段とを備え、映像特性制御手段は、水平同期信号および垂直同期信号に基づく所定の周期信号により、インダクタンスを変化させて、映像信号の周波数特性を制御する可変インダクタを備えたものである。
【００１０】
第２の発明に係る画像表示装置は、映像信号を画像として画面に表示する映像表示手段と、入力される映像信号を上記映像表示手段に画像として表示するための処理を行なう映像信号処理手段と、この映像信号処理手段で処理される映像信号の波形特性を周期的に制御する映像特性制御手段とを備え、映像特性制御手段は、映像信号処理手段に入力された映像信号の振幅を水平ラインごとに周期的に制御し、映像信号処理手段は、上記映像特性制御手段で制御された映像信号を所定の比率で増幅するものである。
【００１１】
第３の発明に係る画像表示装置において、映像特性制御手段は、映像信号処理手段に入力される映像信号を水平同期信号にもとづいて、周期的に水平ラインごとに第１の比率で増幅する第１の信号増幅手段と、映像信号処理手段に入力される映像信号を、水平同期信号にもとづいて、上記第１の信号増幅手段とは異なる周期で、水平ラインごとに上記第１の比率より小さい第２の比率で増幅する第２の信号増幅手段とを備えたものである。
【００１２】
第４の発明に係る画像表示装置において、映像特性制御装置は、垂直同期信号にもとづいて、垂直フレームごとに、各垂直フレームで対応する位置にある水平ラインの映像信号の波形特性が異なるように、第１の信号増幅器と第２の信号増幅器による映像信号に対して行なわれる増幅の周期を垂直フレームごとに変化させるように構成されている。
【００１３】
第５の発明に係る画像表示装置は、映像信号特性制御手段は、映像信号の位相を遅延させる遅延手段と、第２の信号増幅手段に設けられ、上記遅延手段から出力される映像信号の周波数特性を補償する周波数特性補償手段とを備えたものである。
【００１４】
第６の発明に係る画像表示装置は、第１、第２の信号増幅手段のいずれか一方を動作させ、映像信号の増幅を行なうように構成されている。
第７の発明に係る画像表示装置は、入力される映像信号の解像度に応じて、第１、第２の信号増幅手段のいずれか一方を動作させるように構成されている。
【００１５】
【発明の実施形態】
実施の形態１．
本発明の実施の形態１について、図を用いて説明する。図１は、本発明による画像表示装置の回路図を示したものである。
図において、１は映像信号の入力端子、８は映像信号を増幅するための増幅器、６は増幅器８の入力側と出力側を結ぶように接続された抵抗、７は増幅器８の入力側に接続された抵抗７である。この抵抗６、７により増幅器８の増幅率を決めている。４はコンデンサ、５は抵抗であって、増幅器８の入力側にある抵抗７と並列に接続されている。このコンデンサ４と抵抗５は、増幅器８の周波数補償用のネットワークである。１４は入力された映像信号が画像として表示される陰極線管、１５は陰極線管１４内部のカソード容量である。また、１３は陰極線管１４のカソード（図示せず）と直列に接続されている抵抗である。
【００１６】
また、１０は同一磁性体に結合の良い２つのコイルが巻かれているトランス（たとえば、コモンモードコイルなど）で、ここではコモンモードコイルが用いられている。コモンモードコイル１０の１次側は、増幅器８の出力側と抵抗１３との間に接続されている。
１１はコイル１０の２次（側）コイル電流を制御するためのトランジスタ、１２は電源である。トランジスタ１１のコレクタがコイル１０の２次側コイルに接続され、さらにトランジスタ１１のエミッタがコイル１０の２次側コイルと電源１２に接続されている。これらのコイル１０、トランジスタ１１、電源１２により周波数変調回路を構成している。
２は水平同期信号が入力される入力端子、３は垂直同期信号が入力されるための入力端子、９は入力端子２，３から入力される水平・垂直同期信号から水平同期信号、垂直同期信号の１／２分周の信号を出力する分周器である。１／２分周器９からは、水平同期信号を１／２分周した信号をトランジスタ１１に入力し、次に、垂直フレームの切り替わりを示す垂直同期信号にもとづいて、この水平同期信号を１／２分周した信号を反転させて出力し、トランジスタ１１に入力している。
【００１７】
図２は、本発明の画像表示装置から出力される映像信号を示したものである。図２（ａ）は映像周波数特性の高低を示したもので、１／２分周器９から出力された水平同期信号を１／２分周した信号と、陰極線管１４における映像信号の波形（カソード波形）を示したものである。図２（ｂ）は、図２（ａ）のように映像信号が出力されているときに画面上に表示される映像を示したものである。図２（ｃ）は、図２（ａ）に示すような映像信号（カソード波形）が出力された場合の、ある周波数における不要輻射スペクトラムを表したものである。
【００１８】
次に、動作について説明する。
図１において、映像入力端子１から入力された映像信号は増幅器８により抵抗６，７により決まる増幅率で、所定の電圧に増幅される。このとき、映像信号の高周波成分はコンデンサ４と抵抗５の周波数補償ネットワーク、コモンモードコイルｌ０、陰極線管１４のカソードと直列に接続されている抵抗１３、およびカソード容量１５により変化する。
この映像信号の高周波成分を変化させる素子の中で、コモンモードコイル１０を用いることで、映像信号の高周波成分を可変させて、漏れ電磁波による不要輻射を抑えることができる。
【００１９】
具体的に説明すると、コモンモードコイルｌ０において、その２次側電流は１次側のインダクタンスの変化を妨げる方向に流れようとするので、２次側電流をトランジスターｌｌで制御することにより１次側のインダクタンス値を変えることができる。この場合、インダクタンス値が小さくなれば、周波数特性を高くすることができ、また、インダクタンス値が大きくなれば、周波数特性を低くすることができる。
【００２０】
水平同期信号入力端子２から１／２分周器９に入力された信号は図２（ａ）に示すような水平同期信号を１／２分周した信号として出力され、この信号がトランジスタ１１のベースへ入力される。これによって、コモンモードコイル１０のインダクタンス値を変化させることができ、図２（ａ）に示すように映像波形（カソード波形）の周波数特性が水平ラインごとに高い、低いとなるように変化させることができる。さらに、水平１ライン目と２ライン目の信号のピーク位相はｔ１だけ異なり、１ライン目に対して、２ライン目はｔ１だけ位相が遅れている。ここでは、水平同期信号を１／２分周した信号が、水平ラインごとに特性を切り替えるための基準になっている。
【００２１】
さらに、垂直同期信号にもとづいて垂直１フレームごとに、１／２分周器９から出力される水平同期信号を１／２分周した信号を反転させることにより、前後するフレームにおいて、各フレームの対応する位置にある水平ラインの周波数特性を異ならせることができる。その結果、図２（ｂ）に示すような画面の黒い部分と白い部分の境がはっきりと別れた周波数特性差の認識できない一様な映像を画面に表示することができる。（画面上の映像が黒色から白色へ変わる部分で、黒色と白色の間に灰色となる部分のない映像が得られる。）
これは、水平ラインごとに映像信号の周波数特性を変えていること、さらに垂直フレームごとに、前の垂直フレームとは異なるように水平ラインの周波数特性を変化させているので、特定の位置の水平ラインの周波数特性だけを変化させることなく、（画面を構成する水平ラインを均等に変化させることが可能となり、）周波数特性差の無い一様な映像を画面上に表示することができる。
【００２２】
上記のように映像信号の周波数特性を制御することにより、この場合の画像表示装置の不要輻射スペクトラムは、水平１周期（水平１ライン）ごとに高調波成分の低い映像（カソード電圧）が繰り返される。また、図２（ａ）に示すように映像波形（カソード波形）のピーク値位相（ｔｌ）が わずかに異るため、不要輻射スペクトラムは図２（ｃ）に実線で示すように不要輻射ピークレベルが低いものを得る。図２（ｃ）に点線で示した不要輻射スペクトラムは従来の装置によるもので、本実施の形態１によれば、従来よりも不要輻射スペクトラムを低く抑えることができる。
【００２３】
実施の形態２．
本発明の実施の形態２について、図を用いて説明する。図３は、本発明の実施の形態２による画像表示装置の回路図を示したものである。
図において、１は映像信号の入力端子、８は映像信号を増幅するための増幅器であり、抵抗６、７にて増幅率を決めている。４はコンデンサ、５は抵抗であって、増幅器８の周波数補償用ネットワークである。１３は陰極線管１４のカソードと直列に接続されている抵抗で、１５は陰極線管１４内部のカソード容量である。
２、３は入力端子で、入力端子２には水平同期信号が入力され、入力端子３には垂直同期信号が入力される。９は水平同期信号、垂直同期信号の１／２分周の信号を作るための分周器であり、３２は分周された信号を出力する出力端子、３３は出力端子３２から出力される信号の極性を反転した信号を出力する出力端子、３４は分周器９の動作を決めるＯＮ／ＯＦＦ制御端子、３５は中央演算処理部（以下、ＭＰＵとする。）、３７はユーザーが任意に映像信号の調整を行なうことを可能とする信号を出力する外部コントロール部である。この外部コントロール部３７からの信号がＭＰＵ３５を介して、１／２分周器９のＯＮ／ＯＦＦ制御端子３４に入力され、１／２分周器９のＯＮ／ＯＦＦを制御している。
【００２４】
２０、２２、２３はトランジスタで、抵抗２６、２８を負荷抵抗とする第１の増幅器を構成している。２１、２４、２５は抵抗２７、２９を負荷抵抗とする第２の増幅器を構成している。３０は抵抗、３１はコンデンサで、抵抗３０とコンデンサ３１は第２の増幅器の周波数補償用エミッタピーキング（エミッタ周波数補償ネットワークともいう）である。この周波数補償用エミッタピーキング３０、３１により映像信号の高周波成分を補償している。３６はトランジスタ２１のベースへ入力される信号の位相を遅延させるための遅延回路である。実施の形態２では、遅延回路３６の位相遅延量は零としておく。位相遅延回路３６に所定の遅延量が設定される場合については、次の実施の形態で説明する。
【００２５】
図４は、本発明の実施の形態２による画像表示装置から出力される映像信号を示したものである。
図４（ａ）は１／２分周器による出力電圧とトランジスタ２０，２１のベース電圧波形、第１，第２の増幅器の出力波形と陰極線管１４における映像波形（カソード波形）を示す。図４（ｂ）は図４（ａ）に示された映像波形（カソード波形）が画面上に表示された状態を示したものである。図４（ｃ）は図４（ａ）に示すような映像波形が出力された場合の、ある周波数での不要輻射スペクトラムを示したものである。
【００２６】
次に動作について説明する。実施の形態２は実施の形態１とは異なり、入力された映像信号は増幅器８で増幅される前に、まず、トランジスタにより構成される第１、第２の増幅器により増幅される。
映像入力端子１から入力される映像信号は、トランジスタ２０、２２、２３により構成される第１の増幅器と、遅延回路３６を介して接続されるトランジスタ２１、２４、２５により構成される第２の増幅器に入力される。この第１、第２の増幅器は  １／２分周器９から出力される水平・垂直同期信号を１／２分周した信号により制御されている。
【００２７】
１／２分周器９の出力端子３２，３３から出力される信号は、位相が互いに１８０度反転するように設定されている。出力端子３２から出力される信号がHiであれば（このとき出力端子３３から出力される信号はLow）、映像入力端子１から入力された映像信号は第１の増幅器により抵抗Ｒ４／Ｒ１倍の出力波形が得られる。
出力端子３３から出力される信号がHiのときは、映像信号の高周波成分は抵抗Ｒ３／（Ｒ２×Ｒ５／（Ｒ２＋Ｒ５））倍の出力波形を得ることができる。図４には、トランジスタ２０，２１に加わる電圧波形と、その電圧波形が第１，第２の増幅器により増幅され、増幅器８に入力される状態にある入力波形が示されている。
【００２８】
遅延回路３６による位相遅れをゼロとすると（ここでの低周波成分はＲ３＝Ｒ４、Ｒ１＝Ｒ２にて同一となる）、抵抗Ｒ５の値を変えるだけで、簡単に、図４（ａ）に示すように水平１ラインごとに映像振幅（映像信号の高周波成分の振幅）の異なるカソード波形を得ることができる。
さらに、垂直１フレームごとに１／２分周器の出力を反転することにより、フレームごとに、各フレームで対応する位置にある水平ラインの映像振幅（映像信号の高周波成分の振幅）を異ならせることができるので、図４（ｂ）に示すような周波数特性差の認識できない一様な映像を画面に表示することができる。
また、ここでの不要輻射スペクトラムは水平１周期ごとに電圧の低い映像（カソード電圧）が繰り返されるため図４（ｃ）に実線で示すように不要輻射ピークレベルを低く抑えることができる。ちなみに、図４（ｃ）に点線で示されたスペクトラムが従来の画面表示装置によるものである。
ここでは、映像信号の高周波成分の振幅を変化させることができるとしたが、低周波成分を補償すれば低周波成分も含めて、振幅を変化させることも可能であることはいうまでもない。
【００２９】
実施の形態３．
本実施の形態は、実施の形態２に示された図３における遅延回路３６の位相遅延量を所定の値に設定したものである。
図５は、本発明の実施の形態３による画像表示装置から出力される映像信号を示したものである。
図５（ａ）は１／２分周器による出力電圧とトランジスタ２０，２１のベース電圧波形、第１，第２の増幅器の出力波形と陰極線管１４における映像波形（カソード波形）を示す。図４（ｂ）は図４（ａ）に示された映像波形（カソード波形）が画面上に表示された状態を示したものである。図４（ｃ）は図４（ａ）に示すような映像波形が出力された場合の、ある周波数での不要輻射スペクトラムを示したものである。
【００３０】
次に動作について説明する。
この実施の形態では、図３に示された遅延回路３６の位相遅延量はｔ２時間と設定されている。
映像入力端子１から入力された映像信号は遅延回路３６に入力され、ｔ２時間だけ位相が遅れた信号として出力される。この遅延回路３６による位相劣化は第２の増幅器に設けられたエミッタ周波数補償ネットワーク３０，３１により補うことができる。これによって、水平１ラインごとに周波数特性は同じで位相の異なる波形を得ることができる。
【００３１】
具体的に説明すると、映像入力端子１から入力される映像信号は、トランジスタ２０、２２、２３により構成される第１の増幅器と、遅延回路３６を介して接続されるトランジスタ２１、２４、２５により構成される第２の増幅器に入力される。この第１、第２の増幅器は  １／２分周器９から出力される水平・垂直同期信号を１／２分周した信号により制御されている。
【００３２】
１／２分周器９の出力端子３２から出力される信号がHiであれば（このとき出力端子３３から出力される信号はLow）、映像入力端子１から入力された映像信号は第１の増幅器により抵抗Ｒ４／Ｒ１倍の出力波形が得られる（図５を参照）。
出力端子３３から出力される信号がHiのときは、遅延回路３６により所定量遅延された映像信号は第２の増幅器により増幅される。ところで、遅延回路３６による高周波成分の振幅減少は第２の増幅器に設けられたエミッタ周波数補償ネットワーク３０，３１により補われる。この場合、周波数補償ネットワーク３０，３１の値は第１、第２の増幅器による高周波振幅が等しい振幅となるように設定されている。第１、第２の増幅器による出力は図５（ａ）を参照。第１、第２の増幅器の出力は、増幅器８に入力され、図５（ａ）に示すように、水平１ライン目と水平２ライン目のカソード波形（映像波形）は周波数特性は同じで、ピーク位相がｔ２だけ異なるものとなる。１ライン目の信号に対して、２ライン目の信号はｔ２だけ位相が遅れている。
【００３３】
さらに、垂直１フレームごとに１／２分周器から出力される水平同期信号を１／２分周された信号出力を反転することにより、フレームごとに、各フレームで対応する位置にある水平ラインの位相を異ならせることができるので、図４（ｂ）に示すような位相差の認識できない一様な映像を画面に表示することができる。
また、ここでの不要輻射スペクトラムは水平１周期ごとにピーク電圧の位相の異なる映像（カソード電圧）が繰り返されるため、図５（ｃ）に実線で示すように不要輻射ピークレベルが低く裾野の広いスペクトラムを得ることができる。ちなみに、図４（ｃ）に点線で示されたスペクトラムが従来の画面表示装置によるものである。
【００３４】
実施の形態４．
上記実施の形態３、４では、入力される映像信号の解像度に関係なく、映像信号の特性を制御しているが、本実施の形態では、入力される映像信号の解像度を判別し、映像信号の特性を制御するか否かを決めることができる。
この場合の動作について、図３にもとづいて説明する。
映像入力端子１から入力される映像信号の解像度は水平・垂直同期信号をもとに中央演算処理部３５（以下、ＭＰＵとする）で判別される。ＭＰＵ３５で解像度を判別し、映像信号の特性を制御する際に動作する１／２分周器９の動作条件を決める。入力される映像信号の解像度が高いときは１／２分周器９に通常の動作をさせる（１／２分周された信号を出力する）。また、解像度が低いときは１／２分周器９を動作させず、出力端子３２、３３からHi、あるいはLowの一定の信号を出力させる。詳細については後述する。
【００３５】
１／２分周器９はＯＮ／ＯＦＦ端子３４を備えており、このＯＮ／ＯＦＦ端子により制御することで、出力端子３２からHiの信号を継続的に出力させ、また出力端子３３からLowの信号を継続的に出力させることができ、映像信号の特性を一定に保ち（振幅や位相を変化させることなく）、映像信号に変調をかけることを停止させることができる。
遅延回路３６の遅延量が０に設定されているときは、出力端子３３からHiを出力し、出力端子３２からLowを出力させて、第２の増幅回路により映像信号を増幅しても良い。つまり、遅延回路３６が設けられていない場合や、遅延量が零の場合は、第１、第２の増幅器のどちらか一方を使用するようにしたら良い。ただし、この場合、使用する方の増幅器の増幅率は適当な値に設定されている必要がある。
【００３６】
この機能は、映像信号の解像度が高いときに映像信号の特性を制御するようにし（たとえば、映像信号に変調をかける）、映像信号の解像度が低いときは映像信号の特性の制御は行わないようにする。
その理由は、映像信号の解像度が高いときは、繰り返し周波数が高くなるため不要輻射のレベルが高くなるから、映像信号の特性を制御し、不要輻射を減らしたほうが良い。さらに、表示ライン数が多いため１周期ごとに諸特性を制御しても人間の目で認識することができないからである。
また、映像信号の解像度が低いときは、繰り返し周波数が低いため不要輻射レベルは低く、映像信号の諸特性を制御しなくても良い。また、表示ライン数が少ないため、映像信号の諸特性の制御をしてしまうと、１周期ごと（水平ラインごと）の諸特性の変化が目立ってしまうからである。
【００３７】
実施の形態５．
従来、陰極線管の偏向電流を１ラインごとに、わずかにずらして、モアレを解消することが知られているが、実施の形態１、２、３で述べてきたように映像信号の特性を制御することにより、映像信号を揺らすことが簡単にでき、モアレを解消することができる。
これは、たとえば、図３に示す外部コントロール３７により任意に行なうことができ、モアレ解消の動作をＯＮ／ＯＦＦさせることができる。
【００３８】
実施の形態１、２、３に示されているように映像信号の特性を変化させることで（カソード電圧を変化させて、周波数特性、振幅、位相などを変えることで）、陰極線管のグリルと映像信号の干渉によるモアレを抑制することができ、視認性を向上させることができる。
陰極線管のグリルと映像信号の干渉とは、グリルピッチは一定であることが望ましいが、画面形状のゆがみなどから、わずかではあるが、グリルピッチが一定ではなく、広かったり、狭くなったりしてしまう。このような一定の間隔でないグリルピッチに陰極線管からのビームがあたると干渉がおこりモアレが発生してしまう。しかし、映像信号の特性を水平ラインごと、垂直フレームごとに制御することで、陰極線管のグリルと映像信号の干渉によるモアレを抑制することができるのである。
【００４２】
【発明の効果】
第１の発明によれば、映像特性制御手段は、水平同期信号および垂直同期信号に基づく所定の周期信号により、インダクタンスを変化させて、映像信号の周波数特性を制御する可変インダクタを備えているので、周波数特性差の無い一様な映像を画面に表示することができ、なおかつ不要輻射のレベルを低く抑えることができる。
【００４３】
第２の発明によれば、映像特性制御手段は、映像信号処理手段に入力された映像信号の振幅を水平ラインごとに周期的に制御し、映像信号処理手段は、上記映像特性制御手段で制御された映像信号を所定の比率で増幅するので、水平ラインごとに映像信号の振幅を変化させることができ、不要輻射のレベルを低くすることができる。
【００４４】
第３の発明によれば、映像特性制御手段は、映像信号処理手段に入力される映像信号を水平同期信号にもとづいて、周期的に水平ラインごとに第１の比率で増幅する第１の信号増幅手段と、映像信号処理手段に入力される映像信号を、水平同期信号にもとづいて、上記第１の信号増幅手段とは異なる周期で、水平ラインごとに上記第１の比率より小さい第２の比率で増幅する第２の信号増幅手段とを備えているので、水平ラインごとに映像信号の振幅を高低させることができ、
不要輻射のレベルを低くすることができる。
【００４５】
第４の発明によれば、映像特性制御装置は、垂直同期信号にもとづいて、垂直フレームごとに、各垂直フレームで対応する位置にある水平ラインの映像信号の波形特性が異なるように、第１の信号増幅器と第２の信号増幅器による映像信号に対して行なわれる増幅の周期を垂直フレームごとに変化させるので、水平ラインごとに映像信号の振幅を変化させることができ、さらに垂直フレームごとに、前の垂直フレームとは異なるように水平ラインの映像振幅を異ならせることができるので、特定の水平ラインだけでなく、画面を構成する水平ラインの映像振幅を均等に変化させることが可能となり、周波数特性差の無い一様な映像を画面上に表示することができる。また、不要輻射のレベルを低くすることができる。
【００４６】
第５の発明によれば、映像信号特性制御手段は、映像信号の位相を遅延させる遅延手段と、第２の信号増幅手段に設けられ、上記遅延手段から出力される映像信号の周波数特性を補償する周波数特性補償手段とを備えているので、映像信号の高周波成分を補償するとともに、水平ラインごとに映像信号の位相を所定量だけ変化させることが可能となり、不要輻射のレベルを低く抑えることができ、また不要輻射スペクトラムはピークレベルが低く、裾野の広いスペクトラムが得られる。また、映像信号の位相を変化させることができるので、映像信号の干渉によるモアレの発生を軽減することができる。
【００４７】
第６の発明によれば、第１、第２の信号増幅手段のいずれか一方を動作させ、映像信号の増幅を行なうようにしたので、映像信号の波形特性を周期的に変化させないようにすることができる。
第７の発明によれば、入力される映像信号の解像度に応じて、第１、第２の信号増幅手段のいずれか一方を動作させるので、映像信号の波形特性を周期的に変化させたり、変化させないようにすることができる。
【図面の簡単な説明】
【図１】  本発明に係る画像表示装置の一実施の形態を示すブロック図。
【図２】  本発明に係る画像表示装置の一実施の形態における装置からの出力波形を示したものである。
【図３】  本発明に係る画像表示装置の他の実施の形態を示すブロック図。
【図４】  本発明に係る画像表示装置の他の実施の形態における装置からの出力波形を示したものである。
【図５】  本発明に係る画像表示装置の他の実施の形態における装置からの出力波形を示したものである。
【図６】  従来の画像表示装置のブロック図を示したものである。
【符号の説明】
１：映像信号入力端子  ２：水平同期信号入力端子
３：垂直同期信号入力端子  ４：コンデンサ  ５、６、７：抵抗  ８：増幅器
９：１／２分周器  １０：コモンモードコイル  １１：トランジスタ
１２：電源  １３：抵抗Ｚ  １４：陰極線管
【図１】
0003652553.tif 000002
【図２】
0003652553.tif 000003
【図３】
0003652553.tif 000004
【図４】
0003652553.tif 000005
【図５】
0003652553.tif 000006
【図６】
0003652553.tif 000007